(57)【要約】      （修正有）【課題】収納状態から使用状態にする開放過程において、刃物部を一方の柄に収納保持された状態を保てるように制御して、安全に刃物部を開放できる折り畳み鎌を提供する。【解決手段】合体して把持部を形成する二本の柄１０，２０の先端部を刃物部３０の基部に上下及び左右にずらせて設けた支点に回動自在に枢支し、各柄を、各支点を中心として、離間する方向に回動せしめて各柄を合体させ刃物部を各柄に設けた収納部１２，２２に収納するとともに、収納状態から各柄を逆方向に回動して刃物部を使用状態に固定する回動制止手段３７（ストッパピン）を設け、刃物部の開放時において、回動制止手段により刃物部が回動を制止するまで、刃物部の刃先３１を一方の柄２０に係脱自在に保持するために、圧縮バネとボール部とボール部受孔とからなる刃物保持手段を設けた。【選択図】図４
0003212844.tif 000002
【実用新案登録請求の範囲】
【請求項１】
合体して把持部を形成する二本の柄の先端部を刃物部の基部に上下及び左右にずらせて設けた支点に回動自在に枢支し、前記各柄を、前記各支点を中心として、離間する方向に回動せしめて前記各柄を合体させ前記刃物部を前記各柄に設けた収納部に収納するようになし、
前記刃物部の収納状態から各柄を前記収納状態への回動とは逆方向に回動して刃物部を使用状態に固定する回動制止手段を設け、
前記刃物部の開放時において、前記刃物部の前記回動制止手段により前記刃物部が回動を制止するまで、前記刃物部を、前記刃物部の刃先を収納する前記一方の柄に係脱自在に保持する刃物保持手段を備えることを特徴とする折り畳み鎌。
【請求項２】
前記刃物保持手段は、前記一方の柄と前記刃物部とが開放及び収納する場合の摺動面ににおける前記一方の柄に設けられる弾性体を収納する凹部と、前記凹部の内部に収納された弾性体と前記弾性体に付勢される押圧体とを備え、前記刃物部に設けた嵌合部に進退自在に突入して、前記刃物部を前記一方の柄に係脱自在に保持してなることを特徴とする請求項１に記載の折り畳み鎌。
【考案の詳細な説明】
【技術分野】
【０００１】
本考案は、草・柴などを刈るのに用いる鎌であって、刃部を柄に収納するように折り畳むことのできる折り畳み鎌に関する。
【背景技術】
【０００２】
従来、刃部を柄に収納するように折り畳むことのできる折り畳み鎌として実開昭６３−１８７８１０号（特許文献１）に記載されたものが公知である。前記公報記載の折り畳み鎌は、刃物部の基部に縦方向に二分した柄のそれぞれの先端を枢支する支点を有し、それぞれの柄を前記各支点を中心として一方向に回動せしめて各柄を合体することによって刃物部を各柄の間に収納し、また、同収納状態から各柄を前記収納状態への回動とは逆方向に回動して刃物部を使用状態に固定する折り畳み鎌であって、前記刃物部の基部を刃物部から略直角に曲げた形状とし、同基部の曲がりの外側と内側とに二点に上記各支点を設けると共に、同刃物部の基部の先端近傍に回動ストッパを設けて構成されている。
【０００３】
前記折り畳み鎌は、このような構成を採用することによって、各枢支部が２箇所で、しかも、相互に当接状態にあるとき柄部に対して略４５度の位置関係にあり、また、刃物部を使用状態に展開したときは、刃物部の基部の先端近傍にストッパ手段が設けられているので刃物部を確実に且つ強固に所定方向に固定でき、さらに、折り畳み時には、刃物部を安全に柄部内に収納することができる。
【０００４】
そして、前記従来の折り畳み鎌は、折り畳み鎌を使用状態から折り畳む過程においては、片方の手で一方の柄を持ち、他方の手で他方の柄を持ち、７０度乃至９０度程度に両柄を開いた状態から、さらに後方又は前方に半回転させつつ、さらに両柄を閉じる動作を行って折り畳む動作が一般的である。
【０００５】
【特許文献１】実開昭６３−１８７８１０号公報
【考案の開示】
【考案が解決しようとする課題】
【０００６】
しかしながら、前記の折り畳み鎌においては、前記折り畳み鎌を収納状態から開放して使用状態にする開放過程において、７０度乃至９０度程度に両柄を開いた状態から後方又は前方に半回転させる場合に、前記刃物部は、前記両柄の間の略中央部に位置した状態の場合があり、このとき、前記の状態で両柄を後方に半回転させると前記刃物部の軌道が作業者の顔面付近をとおり危険な場合がある。また、前方に半回転させる場合でも、前記刃物部を突出させたまま回転させるので同様に危険である。
【０００７】
本考案は、かかる事情に鑑みてなされたものであって、前記折り畳み鎌を、収納状態から開放して使用状態にする開放過程において、前記刃物部をできるだけ一方の柄に収納され保持された状態を保てるように制御して、安全に前記刃物部を開放することのできる折り畳み鎌を提供することにある。
【課題を解決するための手段】
【０００８】
請求項１に記載の折り畳み鎌は、合体して把持部を形成する二本の柄の先端部を刃物部の基部に上下及び左右にずらせて設けた支点に回動自在に枢支し、前記各柄を、前記各支点を中心として、離間する方向に回動せしめて前記各柄を合体させ前記刃物部を前記各柄に設けた収納部に収納するようになし、前記刃物部の収納状態から各柄を前記収納状態への回動とは逆方向に回動して刃物部を使用状態に固定する回動制止手段を設け、前記刃物部の開放時において、前記刃物部の前記回動制止手段により前記刃物部が回動を制止するまで、前記刃物部を、前記刃物部の刃先を収納する前記一方の柄に係脱自在に保持する刃物保持手段を備えることを特徴とする。
【０００９】
請求項１に記載の折り畳み鎌にあっては、合体して把持部を形成する二本の柄の先端部を刃物部の基部に上下及び左右にずらせて設けた支点に回動自在に枢支し、前記各柄を、前記各支点を中心として、離間する方向に回動せしめて前記各柄を合体させ前記刃物部を前記各柄に設けた収納部に収納するようになし、前記刃物部の収納状態から各柄を前記収納状態への回動とは逆方向に回動して刃物部を使用状態に固定する回動制止手段を設け、前記刃物部の開放時において、前記刃物部の前記回動制止手段により前記刃物部が回動を制止するまで、前記刃物部を、前記刃物部の刃先を収納する前記一方の柄に係脱自在に保持する刃物保持手段を備えているので、収納状態から開放して使用状態にする開放過程において、前記刃物部をできるだけ一方の柄に収納された状態を保てるように制御して、安全に前記刃物部を開放させて使用状態とすることができる。
【００１０】
請求項２に記載の折り畳み鎌は、請求項１に記載の折り畳み鎌において、前記刃物保持手段は、前記柄と前記刃物部とが開放及び収納する場合の摺動面に設けられる弾性体を収納する凹部と、前記凹部の内部に収納された弾性体と前記弾性体に付勢される押圧体とを備え、前記刃物部に設けた嵌合部に進退自在に突入して、前記刃物部を前記一方の柄に係脱自在に保持してなることを特徴とする請求項１に記載の折り畳み鎌。
【００１１】
請求項２に記載の折り畳み鎌にあっては、請求項１に記載の折り畳み鎌に加えて、前記保持手段を、前記柄と前記刃物部とが開放及び収納する場合の摺動面における前記一方の柄に設けられる弾性体を収納する凹部と、前記凹部の内部に収納された弾性体と前記弾性体に付勢される押圧体とを備え、前記刃物部に設けた嵌合部に進退自在に突入して、前記刃物部を前記一方の柄に係脱自在に保持するように構成するので、簡単な構造にて前記保持手段を構成することができる。
【考案の効果】
【００１２】
請求項１に記載の考案によれば、合体して把持部を形成する二本の柄の先端部を刃物部の基部に上下及び左右にずらせて設けた支点に回動自在に枢支し、前記各柄を、前記各支点を中心として、離間する方向に回動せしめて前記各柄を合体させ前記刃物部を前記各柄に設けた収納部に収納するようになし、前記刃物部の収納状態から各柄を前記収納状態への回動とは逆方向に回動して刃物部を使用状態に固定する回動制止手段を設け、 前記刃物部の開放時において、前記刃物部の前記回動制止手段により前記刃物部が回動を制止するまで、前記刃物部を前記他方の柄に係脱自在に保持する刃物保持手段を備えているので、収納状態から開放して使用状態にする開放過程において、前記刃物部をできるだけ一方の柄に収納された状態を保てるように制御して、安全に前記刃物部を開放させて使用状態とすることができる。
【００１３】
請求項２に記載の考案によれば、請求項１に記載の折り畳み鎌に加えて、請求項１に記載の折り畳み鎌に加えて、前記保持手段を、前記柄と前記刃物部とが開放及び収納する場合の摺動面に設けられる弾性体を収納する凹部と、前記凹部の内部に収納された弾性体と前記弾性体に付勢される押圧体とを備え、前記刃物部に設けた嵌合部に進退自在に突入して、前記刃物部を前記一方の柄に係脱自在に保持するように構成するので、簡単な構造にて前記保持手段を構成することができる。
【図面の簡単な説明】
【００１４】
【図１】本実施の形態に係る折り畳み鎌を示す斜視図である。
【図２】本実施の形態に係る折り畳み鎌を示す斜視図である。
【図３】刃物部を開放する過程を示す斜視図である。
【図４】折り畳み状態を示す正面図である。
【図５】図４のＡ−Ａ線断面図であり、収納過程における保持機構を示す。
【図６】図４のＢ−Ｂ線断面図であり、開放過程における保持機構を示す。
【図７】刃物部の正面図である。
【図８】刃物部の収納動作を示す概略図であり、（ａ）は刃物部を開放した状態（使用状態）を示し、（ｂ）は回動柄を９０度開いた状態を示し、（ｃ）は回動柄を２７０度開いた状態を示し、（ｄ）は収納状態を示す。
【図９】刃物部の開放動作を示す概略図であり、（ａ）は刃物部を収納した状態を示し、（ｂ）は回動柄を９０度開いた状態を示し、（ｃ）は回動柄を２７０度開いた状態を示し、（ｄ）は開放した状態（使用状態）を示す。
【考案を実施するための最良の形態】
【００１５】
以下、本考案を実施するための最良の形態を、図面に基づいて具体的に説明する。
【００１６】
図１及び図２は本実施の形態に係る折り畳み鎌を示す斜視図であり、図３は刃物部を開放する過程を示す斜視図である。図４は折り畳み状態を示す正面図であり、図５は図４のＡ−Ａ線断面図であり、収納過程における保持機構を示す。また、図６は図４のＢ−Ｂ線断面図であり、開放過程における保持機構を示す。また、図７は刃物部の正面図である。
【００１７】
図１乃至図６において、１０は基軸柄であり、２０は回動柄である。前記基軸柄１０と前記回動柄２０とは、使用時においては、図１及び図２に示すように、合体して一の把持柄となるように形成し、収納時には、図４に示すように、刃物部３０を前記基軸柄１０と前記回動柄２０との間に収納するように構成している。
【００１８】
前記基軸柄１０は、前記基軸柄１０の先端部から軸方向中間部にかけて、外側面側から他方の側面部にかけて、折り畳み時に刃物部を収納する空間として、貫通溝１２を穿設して、二股条に形成している。さらに、前記基軸柄１０の先端部には支軸（ビスＳＣ）を通す軸孔１３を穿設している。一方、前記基軸柄１０の基端側には略中央部から基端部にかけて周方向に突設するリブを有するハンドル部１１を設けている。そして、図１及び図２に示す使用状態において、前記基軸柄１０と
【００１９】
前記回動柄２０は、前記回動柄２０の先端部から軸方向中間部にかけて、外側面側には、底面２２ａを有する有底状の有底溝２２を凹設して、折り畳み時に刃物部を収納する空間を形成している。さらに、前記回動柄２０の先端部には支軸（ビスＳＣ）を通す軸孔２３を穿設している。一方、基端側には略中央部から基端にかけて周方向に突設するリブを有するハンドル部２１を設けている。そして、図１及び図２に示す使用状態における前記基軸柄１０と前記回動柄２０との接合面であって、後述するストッパピン３７と符合する箇所に、図４に示すように、前記ストッパピン３７当接させて収納するストッパピン受溝１５（前記基軸柄１０側），２５（前記回動柄２０側）を凹設している。
【００２０】
前記刃物部３０は、図７に示すように、刃先３１及び前記刃物部３０の基端側に外方に膨出するように形成する基部３２を備えて全体として湾曲するように形成される。前記基部３２には、前記基軸柄１０を枢支する軸孔３３と、前記回動軸柄２０を枢支する軸孔３４とが穿設されている。前記軸孔３３は前記基部３２の中心より外側の上方に穿設されており、前記基軸柄１０がビスＳＣとナットＮによって回動自在に枢支されている。前記軸孔３４は、前記軸孔３３の下方略４５度の位置に穿設されており、前記回動柄２０がビスＳＣとナットＮによって回動自在に枢支されている。前記軸孔３３と前記軸孔３４とは４５度の位置に穿設されているので、前記回動柄２０を１８０度回動させた場合でも、前記基軸柄１０と前記回動柄２０の柄尻は同位置となり、後述する使用状態と収納状態とで両柄の柄尻が同一となり、好適であるが、特にこの角度に限定されるものではない。また、前記基部３２の下方には、棒状の前記ストッパピン３７が挿通して設けられいる。
【００２１】
以上の構成を備える折り畳み鎌において、使用状態から折り畳み収納する過程において、前記刃物部３０を前記回動柄２０に収納されるまで、前記基軸柄１０に保持し、それにより、折り畳む過程において前記刃物部３０を早く収納することのできる、圧縮バネＳＰと前記圧縮バネＳＰに付勢されるボール部ＢＬと前記ボール部ＢＬを係脱自在に保持するボール部受孔３５を備える収納過程刃物保持機構を備えるように構成されている。
【００２２】
さらに、前記折り畳み鎌を、収納状態から開放して使用状態にする開放過程において、前記刃物部３０をできるだけ前記回動柄２０に収納された状態を保てるように制御して前記刃物部３０を開放することのできる、圧縮バネＳＰと前記圧縮バネＳＰに付勢されるボール部ＢＬと前記ボール部ＢＬを係脱自在に保持するボール部受孔３６を備える開放過程刃物保持機構を備えるように構成されている。
【００２３】
前記収納過程刃物保持機構は、図５に示すように、前記基軸部１０に穿設された軸孔１３の直下に圧縮バネＳＰを収納する有底状の圧縮バネ収納孔１４を穿設し、前記圧縮バネ収納孔１４内に圧縮バネＳＰを内蔵させ、スペーサを介して鉄球で形成されるボール部ＢＬを、前記刃物部に穿設された、前記ボール部ＢＬより径小のボール受孔３５に付勢して係合するように配置させて形成している。
【００２４】
そして、前記開放過程刃物保持機構は、図６に示すように、前記回動部２０に穿設された軸孔２３の横に圧縮バネＳＰを収納する有底状の圧縮バネ収納孔２４を穿設し、前記圧縮バネ収納孔２４内に圧縮バネＳＰを内蔵させ、スペーサを介して鉄球で形成されるボール部ＢＬを、前記刃物部に穿設された、前記ボール部ＢＬより径小のボール受孔３６に係合するように配置させて形成している。
【００２５】
図８は刃物部の収納動作を示す概略図であり、（ａ）は刃物部を開放した状態（使用状態）を示し、（ｂ）は回動柄を９０度開いた状態を示し、（ｃ）は回動柄を２７０度開いた状態を示し、（ｄ）は収納状態を示し、図９は刃物部の開放動作を示す概略図であり、（ａ）は刃物部を収納した状態を示し、（ｂ）は回動柄を９０度開いた状態を示し、（ｃ）は回動柄を２７０度開いた状態を示し、（ｄ）は開放した状態（使用状態）を示す。
【００２６】
以上の構成からなる折り畳み鎌において、使用状態から折り畳み収納する場合は、図８に示すように、先ず、開放状態（使用状態）（図８（ａ））から、前記基軸柄１０と前記回動柄２０とを把持して前記回動柄２０を矢印の方向に開いてゆく。なお、一般的には前記基軸柄１０と前記回動柄２０とを把持して両柄１０，２０を開く動作が考えられる。そのとき、前記基軸柄１０は前記基軸柄１０に設けられた前記収納過程刃物保持機構によって、前記回動柄２０と供回りすることなく前記刃物部３０を使用状態の位置で保持したまま、前記回動柄２０と供回りすることなく、図示のように前記回動柄２０が開いてゆく。
【００２７】
そして、図８（ｂ）に示すように、前記基軸柄１０に保持された前記刃物部３０の先端が、前記回動柄２０に設けられた前記有底溝２２の底面２２ａに当たり止まり、前記刃物部３０が前記回動柄２０に収納されると共に、前記開放過程刃物保持機構によって前記回動柄２０に前記刃物部３０が保持された状態で保持され、前記刃物部３０は前記回動柄２０に収納される。
【００２８】
そして、図８（ｃ）に示すように、その状態から、さらに前記回動柄２０を収納方向に回動させると、前記収納過程刃物保持機構によって保持されていた前記刃物部３０が前記基軸柄１０から脱し、前記刃物部３０を前記回動柄２０に収納した状態で、前記回動柄２０が折り畳まれてゆき、図８（ｄ）に示すように、前記基軸柄１０と前記回動柄２０との間に前記刃物部３０が収納されるのである。なお、一般的には、図８（ｂ）の状態から図８（ｃ）の状態の過程で、前記基軸柄１０と前記回動柄２０とを、手前側（又は対面側）に半回転させて収納動作を行う場合が多いが、収納過程を簡潔に説明するため、当該動作を行わない状態で説明を行った。
【００２９】
一方、前記折り畳み鎌を、収納状態から開放して使用状態にする場合は、図９に示すように、先ず、収納状態（図９（ａ））から、前記基軸柄１０と前記回動柄２０とを把持して前記回動柄２０を矢印の方向に開いてゆく。なお、一般的には前記基軸柄１０と前記回動柄２０とを把持して両柄１０，２０を開く動作が考えられる。そのとき、前記回動柄２０は前記回動柄２０に設けられた前記収納過程刃物保持機構によって前記刃物部３０を収納状態の位置で保持したまま、図９（ｂ）に示すように前記回動柄２０が開いてゆく。
【００３０】
そして、前記回動柄２０をさらに開いてゆくと、図９（ｃ）に示すように、前記刃物部３０に設けられたストッパピン３７に前記基軸柄１０に設けた前記ストッパピン受溝１５に当接し収納されると共に、前記収納過程刃物保持機構によって前記刃物部３０が使用状態に保持され、前記回動柄２０をさらに開くと、図９（ｄ）に示すように、前記刃物部３０が使用状態位置に保持されるのである。このとき、前記刃物部３０は、前記刃物部３０に設けられた前記ストッパピン３７が前記基軸柄１０に設けた前記ストッパピン受溝１５と前記回動柄２０に設けた前記ストッパピン受溝２５とに挟持されて保持される共に、前記前記収納過程刃物保持機構によっても保持されているのである。なお、一般的には、図９（ｂ）の状態から図９（ｃ）の状態の過程で、前記基軸柄１０と前記回動柄２０とを、手前側（又は逆側）に半回転させて開放動作を行う場合が多いが、開放過程を簡潔に説明するため、当該動作を行わない状態で説明を行った。
【００３１】
本考案は、以上のように構成しているので、前記折り畳み鎌を使用状態から折り畳む収納過程において、前記刃物部３０が前記回動柄２０に収納されるまで、前記刃物部３０を前記基軸柄１０に保持し、それにより、折り畳む収納過程において、先ず前記刃物部３０をいち早く収納するように制御し、前記刃物部３０を前記回動柄２０に収納された状態で後方又は前方に半回転させて収納することができ、安全に前記刃物部３０を収納することができる。
【００３２】
また、収納状態から開放して使用状態にする開放過程において、前記刃物部３０をできるだけ前記回動柄２０に収納された状態を保てるように前記刃物部３０を前記回動柄２０に収納するように制御して、前記刃物部３０を開放させて使用状態とすることができ、前記刃物部３０を前記柄部１０，２０から開放する際にできるだけ前記刃物部を収納させた状態を保持して開放するので、安全に開放することができる。
【００３３】
なお、前記ストッパピン３７を前記刃物部３０の前記回動制止手段として使用したが、、前記基軸柄１０に設けた前記収納過程刃物保持機構の前記圧縮バネＳＰにバネ定数を、前記回動柄２０に設けた前記開放過程刃物保持機構の前記圧縮バネＳＰのバネ定数より大きくすることにより前記回動制止手段としても良い。この場合は、前記ストッパピン３７は別途設ける必要がなくなり、構造が簡単となる。
【符号の説明】
【００３４】
１０      基軸柄
１１      ハンドル
１２      貫通溝
１３      軸孔
１４      圧縮バネ収納孔
１５      ピン受溝
２０      回動柄
２１      ハンドル
２２      有底溝
２２ａ    溝底面
２３      軸孔
２４      圧縮バネ収納孔
２５      ストッパピン受溝
３０      刃物部
３１      刃先
３２      基部
３３      基軸柄軸孔
３４      回動柄軸孔
３５      ボール受孔（基軸柄）
３６      ボール受孔（回動柄）
３７      ストッパピン
ＳＣ      ビス
Ｎ        ナット
ＳＰ      圧縮バネ
ＢＬ      ボール部（鋼球）
【図１】
0003212844.tif 000003
【図２】
0003212844.tif 000004
【図３】
0003212844.tif 000005
【図４】
0003212844.tif 000006
【図５】
0003212844.tif 000007
【図６】
0003212844.tif 000008
【図７】
0003212844.tif 000009
【図８】
0003212844.tif 000010
【図９】
0003212844.tif 000011